(57)【要約】【課題】  簡易な構造で傾き調整が容易であり、作業時間及びコストの低減が可能なポンプ据付構造及びポンプ傾き調整方法を提供すること。【解決手段】  据付孔２ａの外周部の床面に固定されたポンプベース４と、立軸ポンプの上部に設けられポンプベース上に設置されるフランジ部３と、フランジ部に複数形成されたフランジ側雌ねじ孔３ａと、ポンプベースに複数形成されたベース側雌ねじ孔と、複数のフランジ側雌ねじ孔のうち一部に螺着されフランジ側雌ねじ孔を貫通して下部がベース側雌ねじ孔に螺着された複数の締結用ボルトと、フランジ部とポンプベースとの間に挟み込まれた水密ゴム６と、複数のフランジ側雌ねじ孔のうち一部に螺着されフランジ側雌ねじ孔を貫通して下端がポンプベースの上面に当接可能な複数の高さ調整用ボルト７と、フランジ部とポンプベースとの隙間に挿入されたスペーサ８とを備えている。【選択図】  図１
2020186656.tif 000002
【特許請求の範囲】
【請求項１】
据付床に形成された据付孔から吊り下げ状態で立軸ポンプを設置したポンプ据付構造であって、
前記据付孔の外周部の床面に固定されたポンプベースと、
前記立軸ポンプの上部に設けられ前記据付孔よりも外径が大きく設定されて前記ポンプベース上に設置されるフランジ部と、
前記フランジ部に複数形成されたフランジ側雌ねじ孔と、
前記ポンプベースに複数形成されたベース側雌ねじ孔と、
複数の前記フランジ側雌ねじ孔のうち一部に螺着され前記フランジ側雌ねじ孔を貫通して下部が前記ベース側雌ねじ孔に螺着された複数の締結用ボルトと、
前記フランジ部と前記ポンプベースとの間に挟み込まれた水密ゴムと、
複数の前記フランジ側雌ねじ孔のうち一部に螺着され前記フランジ側雌ねじ孔を貫通して下端が前記ポンプベースの上面に当接可能な複数の高さ調整用ボルトと、
前記フランジ部と前記ポンプベースとの隙間に挿入されたスペーサとを備えていることを特徴とするポンプ据付構造。
【請求項２】
請求項１に記載のポンプ据付構造において、
複数の前記高さ調整用ボルトが、周方向に等間隔で配置されていることを特徴とするポンプ据付構造。
【請求項３】
請求項１又は２に記載のポンプ据付構造において、
前記スペーサが、前記水密ゴムよりも半径方向外側に配されていることを特徴とするポンプ据付構造。
【請求項４】
請求項１から３のいずれか一項に記載のポンプ据付構造において、
前記水密ゴムが、円環状に形成され、
前記フランジ部と前記ポンプベースとの間に挟み込まれた主水密部と、
前記据付孔の半径方向内方に突出し前記フランジ部にゴム固定用ボルトで固定されたフランジ部側水密部と、
前記据付孔の内周面に沿って突出した内周面側水密部とを有していることを特徴とするポンプ据付構造。
【請求項５】
請求項１から４のいずれか一項に記載のポンプ据付構造において、
前記フランジ部と前記ポンプベースとの間に配置されたシール部材と、
前記シール部材によるシール性を調整可能なシール調整機構とを備え、
前記シール調整機構が、前記フランジ部の前記シール部材の直上に形成された雌ねじ孔と、
前記雌ねじ孔に螺着され前記シール部材を直接又は中間部材を介して前記ポンプベースに押し付ける押付用ボルトとを備えていることを特徴とするポンプ据付構造。
【請求項６】
据付床に形成された据付孔から吊り下げ状態で設置した立軸ポンプの傾きを調整するポンプ傾き調整方法であって、
前記立軸ポンプが請求項１から５のいずれか一項のポンプ据付構造により前記据付床に設置されており、
複数の前記締結用ボルトを緩める締結解除工程と、
前記締結解除工程後に複数の前記高さ調整用ボルトを回動して上下させることで前記立軸ポンプの傾きを調整する傾き調整工程と、
前記調整後に前記フランジ部と前記ポンプベースとの隙間に前記スペーサを挿入するスペーサ設置工程と、
前記スペーサ設置工程後に、緩めた前記締結用ボルトを締め付ける再締結工程とを有していることを特徴とするポンプ傾き調整方法。
【請求項７】
請求項６に記載のポンプ傾き調整方法において、
前記傾き調整工程で、前記高さ調整用ボルトの上下を前記水密ゴムの必要圧縮率の許容値の範囲内で行うことを特徴とするポンプ傾き調整方法。
【発明の詳細な説明】
【技術分野】
【０００１】
本発明は、据付床に形成された据付孔から吊り下げ状態で立軸ポンプを設置したポンプ据付構造及びポンプ傾き調整方法に関するものである。
【背景技術】
【０００２】
雨水ポンプ等に用いられる立軸ポンプは、地震発生時の地盤沈下等によって傾いてしまう場合がある。雨水ポンプは、床下長さが例えば約１１ｍと長く、僅かなポンプの傾きが羽根車部では大きな変位となってしまう。この場合、水中軸受が片当たりし、異常摩耗や破損のおそれがあるため、傾きの補修を行う必要がある。一般的な雨水ポンプの場合、ポンプベースの傾きを補修するために、ポンプを一旦撤去した後、基礎部をはつり、ポンプベースの再据付を行う必要があり、多大な時間及び費用がかかってしまっていた。
【０００３】
このため、従来、例えば特許文献１では、ポンプ据付穴の内周部分に弾性リングを設置し、弾性リングの押圧量を変化することによってポンプを傾けるポンプ設備が提案されている。また、このポンプ設備では、ポンプベースとポンプの間にテーパライナやスペーサを設置している。
【０００４】
また、特許文献２では、据付床の取付孔の外周部に固定され球面凹部からなるベースプレートと、揚水管の上部に設けられた据付プレートと、ベースプレートに対して据付プレートを垂直方向に移動させるためのジャッキボルトである複数の縦移動部材と、ベースプレートに対して据付プレートを横方向に移動させる横移動部材とを備えたポンプが提案されている。このポンプでは、縦移動部材でベースプレートから据付プレートを離間させた状態で横移動部材でベースプレートに対して据付プレートを水平方向に移動させて揚水管を揺動させて傾きを調整している。
【先行技術文献】
【特許文献】
【０００５】
【特許文献１】特開２００４−１０８３１６号公報
【特許文献２】特開２０１８−１６５４９７号公報
【発明の概要】
【発明が解決しようとする課題】
【０００６】
上記従来の技術において、以下の課題が残されている。
従来の特許文献１に記載の技術では、傾き調整を行うために、一旦、クレーン等でポンプを吊り上げ、テーパライナやスペーサを挿入する作業を行う必要があり、やはり作業が大がかりであると共に費用も大幅にかかってしまう不都合があった。
また、特許文献２に記載の技術では、球面凹部からなるベースプレートと、このベースプレートに対応した形状の据付プレートとを設置する必要があり、これら特殊な形状の２つのプレートと、縦移動部材及び横移動部材の２つの移動機構とを設ける必要があり、構造が複雑化してコストが大幅に増大してしまう問題があった。
【０００７】
本発明は、上記従来の問題に鑑みてなされたもので、簡易な構造で傾き調整が容易であり、作業時間及びコストの低減が可能なポンプ据付構造及びポンプ傾き調整方法を提供することを目的とする。
【課題を解決するための手段】
【０００８】
本発明は、前記課題を解決するために以下の構成を採用した。すなわち、第１の発明に係るポンプ据付構造は、据付床に形成された据付孔から吊り下げ状態で立軸ポンプを設置したポンプ据付構造であって、前記据付孔の外周部の床面に固定されたポンプベースと、前記立軸ポンプの上部に設けられ前記据付孔よりも外径が大きく設定されて前記ポンプベース上に設置されるフランジ部と、前記フランジ部に複数形成されたフランジ側雌ねじ孔と、前記ポンプベースに複数形成されたベース側雌ねじ孔と、複数の前記フランジ側雌ねじ孔のうち一部に螺着され前記フランジ側雌ねじ孔を貫通して下部が前記ベース側雌ねじ孔に螺着された複数の締結用ボルトと、前記フランジ部と前記ポンプベースとの間に挟み込まれた水密ゴムと、複数の前記フランジ側雌ねじ孔のうち一部に螺着され前記フランジ側雌ねじ孔を貫通して下端が前記ポンプベースの上面に当接可能な複数の高さ調整用ボルトと、前記フランジ部と前記ポンプベースとの隙間に挿入されたスペーサとを備えていることを特徴とする。
【０００９】
すなわち、このポンプ据付構造では、複数のフランジ側雌ねじ孔のうち一部に螺着されフランジ側雌ねじ孔を貫通して下端がポンプベースの上面に当接可能な複数の高さ調整用ボルトを備えているので、各高さ調整用ボルトの下方突出量を調整することで、立軸ポンプの傾きを容易に調整することができる。また、フランジ部とポンプベースとの隙間に挿入されたスペーサを備えているので、傾き調整後の高さ調整用ボルトの下方突出量によって空いたフランジ部とポンプベースとの隙間に応じたスペーサをこの隙間に挿入することで、フランジ部とポンプベースとの間隔を安定して維持することができる。
【００１０】
第２の発明に係るポンプ据付構造は、第１の発明において、複数の前記高さ調整用ボルトが、周方向に等間隔で配置されていることを特徴とする。
すなわち、このポンプ据付構造では、複数の高さ調整用ボルトが、周方向に等間隔で配置されているので、周方向でバランス良く傾き調整を行うことが可能になる。
【００１１】
第３の発明に係るポンプ据付構造は、第１又は第２の発明において、前記スペーサが、前記水密ゴムよりも半径方向外側に配されていることを特徴とする。
すなわち、このポンプ据付構造では、スペーサが、水密ゴムよりも半径方向外側に配されているので、傾き調整後に水密ゴムが邪魔せず半径方向外側から容易にスペーサを挿入することができる。
【００１２】
第４の発明に係るポンプ据付構造は、第１から第３の発明のいずれかにおいて、前記水密ゴムが、円環状に形成され、前記フランジ部と前記ポンプベースとの間に挟み込まれた主水密部と、前記据付孔の半径方向内方に突出し前記フランジ部にゴム固定用ボルトで固定されたフランジ部側水密部と、前記据付孔の内周面に沿って突出した内周面側水密部とを有していることを特徴とする。
すなわち、このポンプ据付構造では、水密ゴムが、フランジ部とポンプベースとの間に挟み込まれた主水密部と、据付孔の半径方向内方に突出しフランジ部にゴム固定用ボルトで固定されたフランジ部側水密部と、据付孔の内周面に沿って突出した内周面側水密部とを有しているので、主水密部だけでなく、フランジ部側水密部と内周面側水密部とが、フランジ部及び据付孔の内周面に密着することで、より高いシール性を得ることができる。
【００１３】
第５の発明に係るポンプ据付構造は、第１から第４の発明のいずれかにおいて、前記フランジ部と前記ポンプベースとの間に配置されたシール部材と、前記シール部材によるシール性を調整可能なシール調整機構とを備え、前記シール調整機構が、前記フランジ部の前記シール部材の直上に形成された雌ねじ孔と、前記雌ねじ孔に螺着され前記シール部材を直接又は中間部材を介して前記ポンプベースに押し付ける押付用ボルトとを備えていることを特徴とする。
すなわち、このポンプ据付構造では、シール調整機構が、雌ねじ孔に螺着されシール部材を直接又は中間部材を介してポンプベースに押し付ける押付用ボルトを備えているので、シール部材によってさらに高いシール性を得ることができると共に、押付用ボルトによってシール部材のポンプベースへの押し付け量を変えることでシール性を調整することができる。
【００１４】
第６の発明に係るポンプ傾き調整方法は、据付床に形成された据付孔から吊り下げ状態で設置した立軸ポンプの傾きを調整するポンプ傾き調整方法であって、前記立軸ポンプが第１から第５の発明のいずれかのポンプ据付構造により前記据付床に設置されており、複数の前記締結用ボルトを緩める締結解除工程と、前記締結解除工程後に複数の前記高さ調整用ボルトを回動して上下させることで前記立軸ポンプの傾きを調整する傾き調整工程と、前記調整後に前記フランジ部と前記ポンプベースとの隙間に前記スペーサを挿入するスペーサ設置工程と、前記スペーサ設置工程後に、緩めた前記締結用ボルトを締め付ける再締結工程とを有していることを特徴とする。
すなわち、このポンプ傾き調整方法では、締結解除後に複数の高さ調整用ボルトを回動して上下させることで立軸ポンプの傾きを調整した後、フランジ部とポンプベースとの隙間にスペーサを挿入するので、立軸ポンプをクレーン等で据付孔から引き上げる必要が無く、傾き調整とスペーサ設置とを容易に行うことができ、作業性に優れている。
【００１５】
第７の発明に係るポンプ傾き調整方法は、第６の発明において、前記傾き調整工程で、前記高さ調整用ボルトの上下を前記水密ゴムの必要圧縮率の許容値の範囲内で行うことを特徴とする。
すなわち、このポンプ傾き調整方法では、傾き調整工程で、高さ調整用ボルトの上下を水密ゴムの必要圧縮率（つぶし率）の許容値の範囲内で行うので、水密ゴムの破損を防ぎ、水密ゴムの機能を保持した状態で傾き調整を行うことができる。
【発明の効果】
【００１６】
本発明によれば、以下の効果を奏する。
すなわち、本発明のポンプ据付構造及びポンプ傾き調整方法によれば、複数のフランジ側雌ねじ孔のうち一部に螺着されフランジ側雌ねじ孔を貫通して下端がポンプベースの上面に当接可能な複数の高さ調整用ボルトと、フランジ部とポンプベースとの隙間に挿入されたスペーサとにより、立軸ポンプの傾きを容易に調整することができると共にポンプベースとの間隔を安定して維持することができる。
したがって、本発明のポンプ据付構造及びポンプ傾き調整方法では、簡易な構造で傾き調整が容易であり、作業時間及び設備コストの低減を図ることが可能であり、地震等によってポンプが傾いた場合でも、迅速に復旧することができる。
【図面の簡単な説明】
【００１７】
【図１】本発明に係るポンプ据付構造及びポンプ傾き調整方法の第１実施形態において、傾き調整前（ａ）及び傾き調整後（ｂ）の状態を示す要部の拡大断面図である。
【図２】第１実施形態において、フランジ部の締結用ボルト及び高さ調整用ボルトの配置を示す要部の平面図である。
【図３】第１実施形態において、立軸ポンプの傾き調整前の状態を示す一部を破断した正面図である。
【図４】第１実施形態において、立軸ポンプの傾き調整後の状態を示す一部を破断した正面図である。
【図５】本発明に係るポンプ据付構造及びポンプ傾き調整方法の第２実施形態において、要部の拡大断面図である。
【図６】第２実施形態において、水密ゴムを示す一部を破断した斜視図である。
【発明を実施するための形態】
【００１８】
以下、本発明におけるポンプ据付構造及びポンプ傾き調整方法の第１実施形態を、図１から図４に基づいて説明する。
【００１９】
本実施形態におけるポンプ据付構造は、図１から図４に示すように、据付床２に形成された据付孔２ａから吊り下げ状態で立軸ポンプ１を設置したポンプ据付構造であって、据付孔２ａの外周部の床面に固定されたポンプベース４と、立軸ポンプ１の上部に設けられ据付孔２ａよりも外径が大きく設定されてポンプベース４上に設置されるフランジ部３と、フランジ部３に複数形成されたフランジ側雌ねじ孔３ａと、ポンプベース４に複数形成されたベース側雌ねじ孔（図示略）と、複数のフランジ側雌ねじ孔３ａのうち一部に螺着されフランジ側雌ねじ孔３ａを貫通して下部がベース側雌ねじ孔に螺着された複数の締結用ボルト５と、フランジ部３とポンプベース４との間に挟み込まれた水密ゴム６と、複数のフランジ側雌ねじ孔３ａのうち一部に螺着されフランジ側雌ねじ孔３ａを貫通して下端がポンプベース４の上面に当接可能な複数の高さ調整用ボルト７と、フランジ部３とポンプベース４との隙間に挿入されたスペーサ８とを備えている。
【００２０】
上記水密ゴム６は、例えばＯリングである。なお、このＯリングの水密ゴム６は、ポンプベース４の上面に形成された凹部内に設置されている。
複数の高さ調整用ボルト７は、ジャッキボルトであり、図２に示すように、周方向に等間隔で配置されている。
本実施形態では、高さ調整用ボルト７と締結用ボルト５とが周方向に交互に配されている。
上記スペーサ８は、水密ゴム６よりも半径方向外側に配されている。
スペーサ８は、金属板で形成されたソールプレートである。
【００２１】
上記立軸ポンプ１は、吊り下げ揚水管式の雨水ポンプであり、原動機（図示略）に接続され原動機により回転駆動される回転軸（図示略）と、回転軸の下部に設けられた羽根車（図示略）とを内部に備えると共に、回転軸と羽根車とを収納するケーシング１０を備えている。
上記ケーシング１０の上部には、吐出エルボ１１が接続されている。
上記フランジ部３は、据付プレートであって、ケーシング１０と吐出エルボ１１との接続部分に設けられている。
【００２２】
上記ポンプベース４は、据付孔２ａの外周部に固定された円環状部材であり、周方向に複数の取付用雌ねじ孔４ａが形成されている。
複数の取付用雌ねじ孔４ａには、ベース取付ボルト９がそれぞれ螺着されて挿通され、各ベース取付ボルト９の先端部が据付床２にまでねじ込まれることで、ポンプベース４は据付床２に固定されている。
【００２３】
次に、本実施形態のポンプ据付構造を用いた立軸ポンプ１の傾きを調整するポンプ傾き調整方法について説明する。
本実施形態のポンプ傾き調整方法は、複数の締結用ボルト５を緩める締結解除工程と、締結解除工程後に複数の高さ調整用ボルト７を回動して上下させることで立軸ポンプ１の傾きを調整する傾き調整工程と、調整後にフランジ部３とポンプベース４との隙間にスペーサ８を挿入するスペーサ設置工程と、スペーサ設置工程後に、緩めた締結用ボルト５を締め付ける再締結工程とを有している。
【００２４】
例えば、地震発生時の地盤沈下等により、図３に示すように、据付床２が水平方向に対して傾き、据付床２に固定していた立軸ポンプ１のケーシング１０も基準線Ｌ０に対して軸線Ｌ１が角度θで傾いてしまった場合、傾き調整をするため、まず締結解除工程により、締結用ボルト５を緩めて高さ調整用ボルト７が回動かつ上下できるようにする。また、この際、締結用ボルト５を緩めた状態で、フランジ部３とポンプベース４との隙間に予め挿入されていたスペーサ８は、取り外しておく。
【００２５】
次に、傾き調整工程により、図４に示すように、ケーシング１０の軸線Ｌ１が基準線Ｌ０と一致するように、各高さ調整用ボルト７を回動させて各高さ調整用ボルト７を上げ下げし、各高さ調整用ボルト７の下方突出量を調整することで、ポンプベース４に対するフランジ部３の傾きを調整する。
なお、ポンプベース４及びフランジ部３には、機械加工面を設けておき、精密水準器により水平度を管理し、傾きを測定する。
【００２６】
次に、ケーシング１０の軸線Ｌ１を基準線Ｌ０に一致させた状態で、生じたフランジ部３とポンプベース４との隙間に、該隙間に応じた厚み及び形状のスペーサ８（ソールプレート）を挿入し設置する。
さらに、緩めていた締結用ボルト５を再度締め付けて傾き調整した状態でフランジ部３とポンプベース４とを固定する。なお、この締結前後に、高さ調整用ボルト７を取り外しても構わない。
【００２７】
上記傾き調整工程では、高さ調整用ボルト７の上下を水密ゴム６の必要圧縮率（つぶし率）の許容値の範囲内で行う。
本実施形態では、水密ゴム６として例えば線径がφ３５ｍｍの大口径型Ｏリングを使用し、つぶし率の許容値を大きくとることで、地盤沈下による立軸ポンプ１の傾きを補正することが可能である。
【００２８】
例えば、Ｏリングの必要圧縮率（つぶし率）が８〜３０％であるとすると、設置初期はつぶし率１８％（３５ｍｍ×０．１８＝６．３ｍｍ）で立軸ポンプ１の据付を行う。立軸ポンプ１の傾きを調整する際には、つぶし代が８〜３０％（２．８〜１０．５ｍｍ）の範囲となり、この範囲内で傾きを補正する。
【００２９】
このように本実施形態のポンプ据付構造では、複数のフランジ側雌ねじ孔３ａのうち一部に螺着されフランジ側雌ねじ孔３ａを貫通して下端がポンプベース４の上面に当接可能な複数の高さ調整用ボルト７を備えているので、各高さ調整用ボルト７の下方突出量を調整することで、立軸ポンプ１の傾きを容易に調整することができる。
また、フランジ部３とポンプベース４との隙間に挿入されたスペーサ８を備えているので、傾き調整後の高さ調整用ボルト７の下方突出量によって空いたフランジ部３とポンプベース４との隙間に応じたスペーサ８をこの隙間に挿入することで、フランジ部３とポンプベース４との間隔を安定して維持することができる。
【００３０】
また、複数の高さ調整用ボルト７が、周方向に等間隔で配置されているので、周方向でバランス良く傾き調整を行うことが可能になる。
さらに、スペーサ８が、水密ゴム６よりも半径方向外側に配されているので、傾き調整後に水密ゴム６が邪魔せず半径方向外側から容易にスペーサ８を挿入することができる。
【００３１】
また、本実施形態のポンプ傾き調整方法では、締結解除後に複数の高さ調整用ボルト７を回動して上下させることで立軸ポンプ１の傾きを調整した後、フランジ部３とポンプベース４との隙間にスペーサ８を挿入するので、立軸ポンプ１をクレーン等で据付孔２ａから引き上げる必要が無く、傾き調整とスペーサ設置とを容易に行うことができ、作業性に優れている。
【００３２】
また、傾き調整工程で、高さ調整用ボルト７の上下を水密ゴム６の必要圧縮率の許容値の範囲内で行うので、水密ゴムの破損を防ぎ、水密ゴムの機能を保持した状態で傾き調整を行うことができる。
【００３３】
次に、本発明に係るポンプ据付構造及びポンプ傾き調整方法の第２実施形態について、図５及び図６を参照して以下に説明する。なお、以下の実施形態の説明において、上記実施形態において説明した同一の構成要素には同一の符号を付し、その説明は省略する。
【００３４】
第２実施形態と第１実施形態との異なる点は、第１実施形態では、断面円形状又は断面楕円形状の水密ゴム６だけでシーリングを行っているのに対し、第２実施形態のポンプ据付構造及びポンプ傾き調整方法では、図５及び図６に示すように、水密ゴム２６Ａ，２６Ｂとシール部材２６Ｃとでシーリングを行っている点である。
また、第２実施形態では、シール部材２６Ｃによるシール性を調整可能なシール調整機構２９を備えている点でも第１実施形態と異なる。
【００３５】
上記水密ゴム２６Ａ，２６Ｂとシール部材２６Ｃとは、それぞれ円環状に形成されている。
水密ゴム２６Ａは、断面円形状の部分から半径方向内方に向けて突出した部分が上下に設けられ、半径方向内方に向けて断面Ｖ字状に開口した形状とされている。
また、水密ゴム２６Ｂは、フランジ部３とポンプベース４との間に挟み込まれた主水密部２６ａと、据付孔２ａの半径方向内方に突出しフランジ部３にゴム固定用ボルト２７Ａで固定されたフランジ部側水密部２６ｂと、据付孔２ａの内周面に沿って突出した内周面側水密部２６ｃとを有している。
【００３６】
なお、フランジ部側水密部２６ｂには、図６に示すように、周方向に間隔を空けて複数のボルト用孔２６ｄが形成されている。
また、フランジ部３には、複数のボルト用孔２６ｄの位置に対応して複数の固定用雌ねじ穴３ｂが形成されている。
すなわち、水密ゴム２６Ｂは、ボルト用孔２６ｄに挿通され固定用雌ねじ穴３ｂに螺着された複数のゴム固定用ボルト２７Ａによりフランジ部３の下面に固定されている。
【００３７】
上記シール部材２６Ｃは、フランジ部３とポンプベース４との間に配置された断面矩形状の水密ゴムであり、フランジ部３の下面に環状に形成された断面矩形状のシール部材用孔３ｃ内に嵌め込まれている。
上記シール調整機構２９は、フランジ部３のシール部材２６Ｃの直上に形成された雌ねじ孔３ｄと、雌ねじ孔３ｄに螺着されシール部材２６Ｃを直接又は中間部材２５を介してポンプベース４に押し付ける押付用ボルト２７Ｂとを備えている。
【００３８】
すなわち、押付用ボルト２７Ｂは、フランジ部３の上部から雌ねじ孔３ｄを貫通して下部がシール部材用孔３ｃ内に突出しており、下端が中間部材２５の上面に当接している。
上記中間部材２５は、金属製等の環状リングである。なお、この中間部材２５を用いずに、押付用ボルト２７Ｂで直接シール部材２６Ｃを押し付けても構わない。
【００３９】
このように第２実施形態のポンプ据付構造及びポンプ傾き調整方法では、水密ゴム２６Ｂが、フランジ部３とポンプベース４との間に挟み込まれた主水密部２６ａと、据付孔２ａの半径方向内方に突出しフランジ部３にゴム固定用ボルト２７Ａで固定されたフランジ部側水密部２６ｂと、据付孔２ａの内周面に沿って突出した内周面側水密部２６ｃとを有しているので、主水密部２６ａだけでなく、フランジ部側水密部２６ｂと内周面側水密部２６ｃとが、フランジ部３及び据付孔２ａの内周面に密着することで、より高いシール性を得ることができる。
【００４０】
また、シール調整機構２９が、雌ねじ孔３ｄに螺着されシール部材２６Ｃを直接又は中間部材２５を介してポンプベース４に押し付ける押付用ボルト２７Ｂを備えているので、シール部材２６Ｃによってさらに高いシール性を得ることができると共に、押付用ボルト２７Ｂによってシール部材２６Ｃのポンプベース４への押し付け量を変えることでシール性を調整することができる。
なお、水密ゴム２６Ａは、半径方向内方に向けて突出した部分を上下に有しているので、これらがフランジ部３とポンプベース４とに密着することで、単に断面円形状又は断面楕円形状の水密ゴムに比べて、より高いシール性を得ることができる。
【００４１】
なお、本発明は上記各実施形態に限定されるものではなく、本発明の趣旨を逸脱しない範囲において種々の変更を加えることが可能である。
【符号の説明】
【００４２】
１…立軸ポンプ、２…据付床、２ａ…据付孔、３…フランジ部、３ａ…フランジ側雌ねじ孔、３ｄ…雌ねじ孔、４…ポンプベース、５…締結用ボルト、６，２６Ａ，２６Ｂ…水密ゴム、７…高さ調整用ボルト、８…スペーサ、２５…中間部材、２６Ｃ…シール部材、２６ａ…主水密部、２６ｂ…フランジ部側水密部、２６ｃ…内周面側水密部、２７Ａ…ゴム固定用ボルト、２７Ｂ…押付用ボルト、２９…シール調整機構
【図１】
2020186656.tif 000003
【図２】
2020186656.tif 000004
【図３】
2020186656.tif 000005
【図４】
2020186656.tif 000006
【図５】
2020186656.tif 000007
【図６】
2020186656.tif 000008